(57)【要約】【課題】同一の形状のハウジング部材を用いて、部品の共通化を図り、製造コストを減少させることができる計器の照明構造を提供する。【解決手段】液晶表示装置５の表示面部５ａは、バックライトＬＥＤ照明装置９…で、裏面側から透過照明されている。  ハウジング部材１２には、表示面部５ａを埋設する液晶装置収納凹部１３ｄが形成されていて、表示面部５ａの表面側５ｃの奥行き方向ｈの位置を、文字板６，７の何れの表示面６ｃ，７ｃの表面側の位置よりも、奥側位置となるように、この液晶装置収納凹部１３ｄ内に装着されている。【選択図】図１
2012118006.tif 000002
【特許請求の範囲】
【請求項１】
各々バックライト照明装置を有する少なくとも二種類の表示部を隣接配置したハウジング部材の表面側に、造形の異なる複数種類の文字板を、交換装着可能とする計器の照明構造であって、
少なくとも一方の前記表示部は、液晶部バックライト照明装置で、裏面側から透過照明される表示面部を有する液晶表示装置であり、前記ハウジング部材には、該表示面部を埋設する液晶装置収納凹部を形成して、該表示面部の表面側の奥行き方向の位置を、前記文字板に設けられる表示面の位置よりも、奥側位置となるように装着したことを特徴とする計器の照明構造。
【請求項２】
前記液晶装置収納凹部の周縁は、前記ハウジング部材と一体に突設された隔壁部によって囲われていて、該隔壁部の奥行き方向位置で、前記液晶表示装置の表面側の位置よりも手前には、前記文字板を支持する端面が形成されていることを特徴とする請求項２記載の計器の照明構造。
【請求項３】
前記隔壁部の端面は、前記造形の異なる複数種類の文字板の表示面が、造形によって、最も奥側位置となる部分の対向面と当接して支持されることを特徴とする請求項２記載の計器の照明構造。
【請求項４】
前記隔壁部の端面には、前記文字板の形状に係合する光路阻害部が形成されていることを特徴とする請求項２又は３記載の計器の照明構造。
【請求項５】
前記隔壁部の内側には、奥行き方向の奥行側端部が、前記隔壁部の端面に重複する位置まで埋設されて、前記文字板の表面側に装着されるアッパハウジング部材を有することを特徴とする請求項２乃至４のうち、何れか一項記載の計器の照明構造。
【発明の詳細な説明】
【技術分野】
【０００１】
本発明は、主に、自動車等、車両に用いられる計器の照明構造で、特に、表示意匠の造形の異なる文字板を照明出来る計器の照明構造に関するものである。
【背景技術】
【０００２】
従来、図７及び図８に示すように、車両用のメータの照明構造が知られている（例えば、特許文献１等参照）。
【０００３】
まず、この計器の照明構造の構成から説明すると、この車両用の計器の照明構造では、車両の各種情報を表示する車両用計器としてのコンビネーションメータ１が、図示省略の乗員室の運転席前方に位置するインストルメントパネル内に配置されている。
【０００４】
この様なコンビネーションメータ１には、アナログ表示指針４ａが設けられて、車両の速度を表示する車速度計４、エンジン回転数を表示するタコメータ及び、走行距離等の各種情報を表示する液晶表示装置５が、車種の必要に応じて、適宜組み合わせられている。
【０００５】
この従来のコンビネーションメータ１は、主に、筐体を概略構成するハウジング部材２と、このハウジング部材２の裏面側２ａに配置される樹脂製の平板形状を呈する回路基板３とを有している。
【０００６】
この回路基板３には、前記アナログ表示指針４ａの回転駆動を行う指針駆動アクチュエータ装置４ｂが設けられている。
【０００７】
また、前記液晶表示装置５は、前記ハウジング部材２の開口部２ｂに嵌着されて、このハウジング部材２の表面側２ｃと略面一となる略長方形形状の表示面部５ａを有して、駆動信号の入力より、各種情報が表示されるように、この回路基板３に接続されている。
【０００８】
そして、この回路基板３のハウジング部材２側には、バックライトＬＥＤ照明装置８…及び９，９等が実装されていて、通電により点灯可能とすることにより、図８に示す様な前記ハウジング部材２の表面側２ｃに装着される各種文字板６，７等が、裏面側から透過照明されるように構成されている。
【先行技術文献】
【特許文献】
【０００９】
【特許文献１】特開２００５−２５７４９６号公報
【発明の概要】
【発明が解決しようとする課題】
【００１０】
しかしながら、このように構成された従来の計器の照明構造では、図８に示す様に、平板的な造形の意匠を表面形状として採用する文字板６と、立体的な造形の意匠を表面形状として採用する文字板７とでは、各々の裏面側の形状が異なり、各文字板６，７の形状に適合させて、異なる造形のハウジング部材２を２種類用意しなければならず、製造コストの上昇を抑制することが困難であった。
【００１１】
即ち、図７中に示す様に、前記ハウジング部材２の車速度計４部分と、液晶表示装置５が設けられた部分とが隣接している場合、立体的な造形の文字板７形状に合わせて、二点鎖線に示す様な切欠部１０を、表面側２ｃに凹設形成すると、図８中一点鎖線で示すように、平板的な造形の文字板６を装着すると、この文字板６とこの切欠部１０との間に空隙１０ａが、形成されてしまう。
【００１２】
このため、この空隙１０ａを介して、前記バックライトＬＥＤ照明装置８…の照明光が、液晶表示装置５の表示面部５ａ側に漏れたり、或いは、前記バックライトＬＥＤ照明装置９，９の照明光が、車速度計４側に漏れる虞があった。
【００１３】
また、図７中実線に示す様に、前記ハウジング部材２の車速度計４部分と、液晶表示装置５が設けられた部分との間に、前記切欠部１０を形成せずに、図８に示す様な平板的な造形の文字板６に合わせた平滑な表面側２ｃの造形とすると、立体的な造形の文字板７の裏面側から、突設された環状凸部７ａ等が、このハウジング部材２の表面側２ｃと干渉してしまい、所望の組み付けが行えない虞もあった。
【００１４】
そこで、本願発明は、同一の形状のハウジング部材を用いて、部品の共通化を図り、製造コストを減少させることができる計器の照明構造を提供することを課題としている。
【課題を解決するための手段】
【００１５】
上記課題を解決するために、請求項１に記載されたものは、各々バックライト照明装置を有する少なくとも二種類の表示部を隣接配置したハウジング部材の表面側に、造形の異なる複数種類の文字板を、交換装着可能とする計器の照明構造であって、
少なくとも一方の前記表示部は、液晶部バックライト照明装置で、裏面側から透過照明される表示面部を有する液晶表示装置であり、前記ハウジング部材には、該表示面部を埋設する液晶装置収納凹部を形成して、該表示面部の表面側の奥行き方向の位置を、前記文字板の表示面の位置よりも、奥側位置となるように装着した計器の照明構造を特徴としている。
【００１６】
また、請求項２に記載されたものは、前記液晶装置収納凹部の周縁は、前記ハウジング部材と一体に突設された隔壁部によって囲われていて、該隔壁部の奥行き方向位置で、前記液晶表示装置の表面側の位置よりも手前には、前記文字板を支持する端面が形成されている請求項２記載の計器の照明構造を特徴としている。
【００１７】
更に、請求項３に記載されたものは、隔壁部の端面は、前記造形の異なる複数種類の文字板の表示面が、造形によって、最も奥側位置となる部分の対向面と当接して支持される請求項２記載の計器の照明構造を特徴としている。
【００１８】
そして、請求項４に記載されたものは、前記隔壁部の端面には、前記文字板の形状に係合する光路阻害部が形成されている請求項２又は３記載の計器の照明構造を特徴としている。
【００１９】
また、請求項５に記載されたものは、前記隔壁部の内側には、奥行き方向の奥行側端部が、前記隔壁部の端面に重複する位置まで埋設されて、前記文字板の表面側から突出する様に装着されるアッパハウジング部材を有する請求項２乃至４のうち、何れか一項記載の計器の照明構造を特徴としている。
【発明の効果】
【００２０】
このように構成された請求項１記載のものは、前記液晶表示装置の表示面部が、前記ハウジング部材に凹設形成された液晶装置収納凹部に埋設されて、前記文字板の表面側よりも、奥側に位置する。
【００２１】
このため、奥行き方向で、前記液晶表示装置の表示面部と、前記文字板の表面側との間に寸法差を与えて立体感を得つつ、前記各々バックライト照明装置の照明光が、他方の表示面方向に光り漏れしない造形を得られる。
【００２２】
従って、造形の異なる複数種類の文字板を、交換装着しても、各文字板と、ハウジング部材との間で干渉が発生したり、或いは、光り漏れが発生しないので、同一の形状のハウジング部材を用いて、部品の共通化を図り、製造コストを減少させることができる。
【００２３】
また、請求項２に記載されたものは、前記文字板を支持する端面が、前記液晶装置収納凹部の周縁で、前記ハウジング部材と一体に突設された隔壁部に形成されている。  このため、該隔壁部によって囲われた奥行き方向位置に設けられた前記液晶表示装置の表面側には、前記他の表示部のバックライト照明装置からの照明光が、光り漏れする虞を減少させることが出来る。
【００２４】
更に、請求項３に記載されたものは、前記隔壁部の端面によって、前記造形の異なる文字板でも、表面側が奥側位置となる部分の対向面に対して、当接して支持されている。
【００２５】
このため、文字板が干渉して、前記ハウジング部材の表面側に装着出来なかったり、変形等により、不完全な装着状態となることなく、確実に装着させることが出来る。
【００２６】
また、請求項４に記載されたものは、前記隔壁部の端面には、前記文字板の形状に係合する光路阻害部によって、直進する照明光は、遮られて、反対側の表示面に到達し難い。
【００２７】
更に、請求項５に記載されたものは、前記隔壁部の内側に設けられた前記アッパハウジング部材のうち、前記隔壁部の端面に重複する位置まで埋設された奥行き方向の奥行側端部が、前記他の表示部のバックライト照明装置からの照明光が、前記液晶表示装置の表面側へ光り漏れによって到達しないように、該表面側に隣接させることが出来る。
【００２８】
従って、更に、部材同士の干渉が防止出来ると共に、光り漏れが発生する虞を減少させることが出来る。
【図面の簡単な説明】
【００２９】
【図１】この発明の実施の形態の計器の照明構造で、メータ計器に設けられる文字板のうち、立体的な造形の意匠を表面形状として採用する文字板と、平板的な造形の意匠を表面形状として採用する文字板とが、交換可能な全体の構成を説明するメータ計器の分解斜視図である。
【図２】実施の形態の計器の照明構造で、メータ計器に設けられる文字板のうち、立体的な造形の意匠を表面形状として採用する文字板の正面図である。
【図３】実施の形態の計器の照明構造で、平板的な文字板を装着した状態で、図２中Ａ−Ａ線に沿った位置に相当する位置での断面図である。
【図４】実施の形態の計器の照明構造で、平板的な文字板を装着した状態で、図２中Ｂ−Ｂ線に沿った位置に相当する位置での断面図である。
【図５】実施の形態の計器の照明構造で、立体的な文字板を装着した状態を示す図２中Ａ−Ａ線に沿った位置での断面図である。
【図６】実施の形態の計器の照明構造で、立体的な文字板を装着した状態を示す図２中Ｂ−Ｂ線に沿った位置での断面図である。
【図７】従来例の計器の照明構造で、内部の構成を説明する模式的な分解斜視図である。
【図８】従来例の計器の照明構造で、立体的な造形の意匠を表面形状として採用する文字板と、平板的な造形の意匠を表面形状として採用する文字板とが、交換装着される様子を模式的に説明するメータ計器の一部断面分解斜視図である。
【発明を実施するための形態】
【００３０】
次に、この発明を実施するための実施の形態の計器の照明構造について、図１乃至図６を用いて説明する。
【００３１】
なお、前記従来と同一乃至均等な部分については、同一符号を付して説明する。
【００３２】
まず、この実施の形態の計器の照明構造の構成から説明すると、この車両用の計器の照明構造では、車両の各種情報を表示するコンビネーションメータ１１が、図示省略の乗員室の運転席前方に位置するインストルメントパネル内に配置されている。
【００３３】
このコンビネーションメータ１１は、主に、筐体を概略構成するハウジング部材１２のうち、ロアハウジング部材１３を共通部品として、このロアハウジング部材１３の表面側に装着される文字板部材を造形の異なる複数種類、この実施の形態では、平板的な造形の意匠を表面形状として採用する文字板６と、立体的な造形の意匠を表面形状として採用する文字板７とによる二種類で、各々の表裏面側の形状が異なるものを、交換装着可能に構成されている。
【００３４】
また、このコンビネーションメータ１１では、これらの各文字板６，７の造形に合わせて、アナログ表示指針４ａが設けられて、車両の速度を表示する車速度計４、必要に応じて、アナログ表示指針１４ａ，１４ｂを設けて、エンジン回転数又はモータ回転数を表示するタコメータ１４及び、走行距離等の各種情報を表示する液晶表示装置５が、車種に応じて、適宜組み合わせられている。
【００３５】
この実施の形態では、前記両文字板６，７に、各々車速度計４及び液晶表示装置５が設けられているのに加えて、更に、前記立体的な造形の意匠を表面形状として採用する文字板７には、前記タコメータ１４が設けられている。
【００３６】
そして、このコンビネーションメータ１１は、主に、筐体を概略構成する前記ハウジング部材１２のロアハウジング部材１３及びアッパハウジング部材１５のうち、ロアハウジング部材１３の裏面側１３ａには、エポキシ樹脂製の回路基板３が設けられている。
【００３７】
この回路基板３には、略平板形状を呈して、前記アナログ表示指針４ａ又は、アナログ表示指針１４ａ，１４ｂ…の回転駆動を行う指針駆動アクチュエータ装置４ｂ…等が、各々設けられている。
【００３８】
また、この回路基板３には、前記液晶表示装置５のドライバ駆動部が接続されていると共に、バックライト照明装置としての指向性を有するＬＥＤからなる液晶部のバックライトＬＥＤ照明装置９…が、固着されている。
【００３９】
そして、図１に示すように、前記ロアハウジング部材１３に凹設形成された液晶装置収納凹部１３ｄには、この液晶表示装置５の表示面部５ａが、前記液晶部のバックライトＬＥＤ照明装置９…の照明光を拡散させるガイドフィルタ部材５ｂを介在させて、運転席側から埋設されている。
【００４０】
この実施の形態では、前記表示面部５ａの最も手前側に位置する表面側５ｃの奥行き方向の位置が、前記何れの各文字板６，７に設けられる表示面６ｃ，７ｃの位置よりも、奥側位置となるように装着されている。
【００４１】
すなわち、この前記液晶装置収納凹部１３ｄの周縁は、前記ロアハウジング部材１３に一体となるように、突設された隔壁部２０によって囲われている。
【００４２】
この隔壁部２０は、図５に示す様に奥行き方向（紙面上下方向）ｈ位置で、前記液晶表示装置５の表示面部５ａの表面側５ｃの位置ｈ２よりも手前位置ｈ３（ｈ３＜ｈ２）には、前記文字板７の裏面側７ｄに当接して、支持する端面２１が形成されている。
【００４３】
この端面２１は、図３に示す様に、前記文字板６の裏面側６ｄには、当接しない位置ｈ３に設けられている。
【００４４】
更に、図５に示す様に、この隔壁部２０の端面２１は、前記造形の異なる複数種類の文字板６，７のうち、立体的な凹凸を、面内，外方向に有することにより、造形によって、最も奥側位置ｈ１（ｈ１＝略ｈ３）となる対向面としての表示面７ｃの裏面側７ｄが、当接されて支持されている。
【００４５】
また、この実施の形態では、前記液晶装置収納凹部１３ｄに対応する液晶表示開口部７ｂの開口周縁に沿って、断面略Ｚ型形状を呈することにより、裏面側７ｄが当接される段差部２２が設けれている。
【００４６】
そして、図１に示す様に、前記隔壁部２０の端面のうち、車速度計４側のバックライト照明装置としてのバックライトＬＥＤ照明装置８と、この液晶表示装置５とを結ぶ線上には、前記従来と同様に、切欠部１０が凹設形成されている。
【００４７】
この実施の形態の切欠部１０には、図６に示す様に、立体的な前記文字板７の環状凸部７ａの凸形状に係合するように、凹形状を呈する光路阻害部としての谷溝部２３が、形成されている。
【００４８】
また、この隔壁部２０の内側には、前記各文字板６，７の液晶表示開口部６ｂ又は、液晶表示開口部７ｂに嵌着されて、図４又は図６に示す様な略角錐フード筒形状で同一形状を呈する前記アッパハウジング部材１５が、設けられている。
【００４９】
このアッパハウジング部材１５は、前記液晶表示装置５の表面側５ｃに装着されて、奥行き方向ｈの奥行側端部１５ａが、前記隔壁部２０の端面２１に重複する位置ｈ４まで、埋設されると共に、前記文字板６の表示面６ｃ表面側から、所定量ｈ５を有して、突出される様に設けられている。
【００５０】
また、このロアハウジング部材１３の液晶装置収納凹部１３ｄの開口に対応して、前記各文字板６，７には、略長方形形状の液晶表示開口部６ｂ，７ｂが各々開口形成されている。
【００５１】
このように、前記回路基板３からの点灯信号の入力より、ハウジング部材２側に実装された前記バックライトＬＥＤ照明装置９，９等が、通電されて点灯されると、ＬＥＤ照明光は、前記ガイドフィルタ部材５ｂを通過して、拡散される。
【００５２】
このガイドフィルタ部材５ｂで拡散された照明光は、前記液晶表示装置５の裏面側から入光して、略均一の光量で、各種情報が表示される前記表示面部５ａを、透過照明されるように構成されている。
【００５３】
また、前記車速度計４に対応するこの回路基板３には、ハウジング部材２側に前記指向性を有するバックライトＬＥＤ照明装置８，８…等が実装されている。
【００５４】
これらのバックライトＬＥＤ照明装置８，８の真上には、前記ロアハウジング部材１３の一部として、各アナログ表示指針４ａ又は、１４ａ，１４ｂの回転軸部分の周囲に傘状に形成されて、ＬＥＤ照明光を、装着された各文字板６又は７の裏面側から、反射照明させて、透過光を略均一の光量とする反射面部１３ｅ，１３ｆが、各々設けられている。
【００５５】
そして、図１に示す様に、このロアハウジング部材１３に、正面視略扇型形状を呈して、凹設されるメータ凹部１３ｇ又は、タコメータ凹部１３ｈの範囲内で、前記ハウジング部材２の表面側２ｃに装着される各種文字板６，７等の各車速度計４又はタコメータ１４が、設けられている部分のみ、裏面側から透過照明されるように構成されている。
【００５６】
次に、この実施の形態の計器の照明構造の作用効果について説明する。
【００５７】
この実施の形態の計器の照明構造では、前記コンビネーションメータ１１の液晶表示装置５の表示面部５ａが、前記ハウジング部材１２を構成するロアハウジング部材１３に凹設形成された液晶装置収納凹部１３ｄに埋設されて、前記文字板６の表面側５ｃの表示面よりも、奥側に位置する。
【００５８】
このため、図４に示す様に、奥行き方向ｈで、前記液晶表示装置５の表示面部５ａと、前記文字板６の表示面６ｃの表面側５ｃとの間に寸法差ｈ４が与えられて立体感が得られる。
【００５９】
また、図３に示す様に、前記文字板６を支持する前記隔壁部２０の端面２１が、前記液晶装置収納凹部１３ｄの周縁で、前記ロアハウジング部材１３と一体に突設された隔壁部２０に形成されている。
【００６０】
この隔壁部２０によって囲われているので、奥行き方向位置に設けられた前記液晶表示装置５の表面側５ｃには、液晶装置収納凹部１３ｄの内側面で反射されたバックライトＬＥＤ照明装置９の照明光ｒ１は、アッパハウジング部材１５によって、確実に遮断されて、前記表示面部５ａの表面側５ｃに廻り込むことはない。
【００６１】
更に、図４に示すように、空隙１０ａが形成されている部分でも、前記表示面部５ａの表面側５ｃが囲われているので、奥行き方向ｈの位置では、前記切欠部１０に設けられた谷溝部２３の最も高い位置ｈ６よりも、前記奥行側端部１５ａの位置ｈ４が、深い位置となるように、前記表面側５ｃを位置させて、固定支持させることが出来る。
【００６２】
従って、前記車速度計４のバックライトＬＥＤ照明装置８からの照明光ｒ２は、前記隔壁部２０で略反射して、前記文字板６の車速度計４の指針通過領域部分を、略扇形形状で、略均一となるように透過照明することが出来る。
【００６３】
そして、この照明光ｒ２は、前記液晶表示装置５方向へ光り漏れして、この表面側５ｃに侵入する虞を減少させることが出来る。
【００６４】
この図３及び図４に示す様な平面板状の文字板６を前記ロアハウジング部材１３の表面側に装着する際に、文字板６とこのロアハウジング部材１３との間に、空隙１０ａが生じても、前記各々バックライトＬＥＤ照明装置８…,９…の照明光が、他方の各表面側５ｃ及び表示面７ｃ方向に対して、光り漏れしない造形を得られる。
【００６５】
従って、図１に示す様な造形の異なる複数種類の文字板６,７のうち、図３及び図４に示す平面板状の文字板６から、図５及び図６に示す様な立体的な文字板７に、タコメータ１４の要否等に応じて、適宜、交換装着できる。
【００６６】
すなわち、図５及び図６に示す様な立体的な文字板７を、前記ロアハウジング部材１３の表面側２ｃに装着すると、前記車速度計４と、液晶表示装置５との間では、図５に示す様に、前記隔壁部２０の端面２１に、前記段差部２２よりも、位置ｈ１奥側に造形された裏面側７ｄが当接して、支持される。
【００６７】
このため、前記バックライトＬＥＤ照明装置９…の照明光ｒ３は、アナログ表示される表示面７ｃ方向に光り漏れすることが無いと共に、前記液晶装置収納凹部１３ｄの内側面及び前記段差部２２の裏面側で反射された照明光ｒ３は、前記アッパハウジング部材１５に遮られて、前記液晶表示装置５の表面側５ｃへ廻り込んで侵入する虞を減少させることが出来る。
【００６８】
また、この実施の形態では、図６に示されるように、前記隔壁部２０の切欠部１０には、断面形状略Ｖ字形の谷溝部２３が形成されていて、前記文字板７の環状凸部７ａがこの谷溝部２３の形状に係合されて、当接されている。
【００６９】
この谷溝部２３は、直線的に進行する照明光ｒ４を、前記環状凸部７ａとの間に通過させにくい非平坦な光路阻害部として造形されているので、この隔壁部２０によって、前記照明光ｒ４又は、バックライトＬＥＤ照明装置９からの照明光ｒ３は、更に、確実に遮られて、反対側の表示面部５ａの表面側５ｃ又は、表示面７ｃに到達し難い。
【００７０】
このうち、更に、前記隔壁部２０の内側に設けられた前記アッパハウジング部材１５のうち、前記隔壁部２０の上端面に、奥行き方向ｈで、図４中高さｈ４に示す位置と、重複する位置まで埋設された奥行側端部１５ａが、前記車速度計４のバックライトＬＥＤ照明装置８からの照明光ｒ４が、空隙１０ａの形成によって、前記液晶表示装置５の表面側５ｃへ光り漏れによって、到達しないように遮る。
【００７１】
また、前記アッパハウジング部材１５は、埋設されているので、前記奥行側端部１５ａを、この液晶表示装置５の表面側５ｃへ隣接させて装着出来る。
【００７２】
従って、更に、立体的な文字板７に凸設形成された環状凸部７ａと、隔壁部２０との干渉が、寸法誤差を有していても、防止出来ると共に、光り漏れが発生する虞を減少させることが出来る。
【００７３】
このように、図１に示す様な造形の異なる文字板６,７でも、図５に示す様に、表示面７ｃの奥側位置となる裏面側７ｄと、端面２１とを当接させて、支持させることにより、文字板７の環状凸部７ａが干渉して、コンビネーションメータ１１のうち、ロアハウジング部材１３の表面側２ｃに装着出来なかったり、変形等により、不完全な装着状態となることなく、確実に装着させることが出来る。
【００７４】
更に、従来の様に、各文字板６,７と、ハウジング部材２との間で干渉が発生したり、或いは、光り漏れが発生しないので、同一の形状のハウジング部材１２を用いて、部品の共通化を図り、製造コストを減少させることができる。
【００７５】
他の構成及び作用効果については、前記従来例と同一乃至均等であるので、説明を省略する。
【００７６】
以上、図面を参照して、本発明の実施の形態の計器の照明構造を詳述してきたが、具体的な構成は、この実施の形態の計器の照明構造に限らず、本発明の要旨を逸脱しない程度の設計的変更は、本発明に含まれる。
【００７７】
例えば、前記実施の形態では、隔壁部２０の照明光ｒ１〜ｒ４が侵入しやすい端面２１及び切欠部１０と、文字板６，７の環状凸部７ａとの間の関係を中心に説明してきたが、特にこれに限らず、例えば、図８中白抜き一方向破線で示す様に、空隙１０ａが拡大する等、立体的な造形が複雑なものとなっても、前記液晶表示装置５の表示面部５ａの表面側５ｃの奥行き方向ｈの位置ｈ２が、前記何れの文字板６，７に設けられる表示面６ｃの位置よりも、奥側位置となるように装着されるものであれば良く、文字板６等及び、ハウジング部材１２の数量，形状及び材質が、特に限定されるものではない。
【産業上の利用可能性】
【００７８】
この実施の形態の計器の照明構造は、自動車等、車両に用いられる計器の照明構造であれば、どのような車両、例えば、電動自動車、若しくはハイブリッドカーに用いられていても良く、この場合、エンジン等の回転数の表示に代えて、又はエンジン等の回転数と共に、モータの回転数を表示する文字板部材を有するものであってもよい。
【００７９】
また、この計器が、車両に搭載される位置及び車載方法も、車室内前方のインストルメントパネル内に限らず、前，後部若しくは中央部に、単体若しくは、複数、搭載される計器の照明構造に適用されてもよいものである。
【符号の説明】
【００８０】
４          車速度計（表示部の一つ）
５          液晶表示装置（表示部の一つ）
５ａ        表示面部
５ｃ        表面側
６，７      文字板
６ｂ，７ｂ  液晶表示開口部
６ｃ，７ｃ  表示面
６ｄ，７ｄ  裏面側
７ａ        環状凸部
８，９      バックライトＬＥＤ照明装置（バックライト照明装置）
１０        切欠部
１０ａ      空隙
１１        コンビネーションメータ（計器）
１２        ハウジング部材
１３        ロアハウジング部材（ハウジング部材の一部）
１３ｄ      液晶装置収納凹部
１４        タコメータ（表示部の一つ）
１５        アッパハウジング部材
１５ａ      奥行側端部
２０        隔壁部
２１        端面
２２        段差部
２３        谷溝部（光路阻害部）
【図１】
2012118006.tif 000003
【図２】
2012118006.tif 000004
【図３】
2012118006.tif 000005
【図４】
2012118006.tif 000006
【図５】
2012118006.tif 000007
【図６】
2012118006.tif 000008
【図７】
2012118006.tif 000009
【図８】
2012118006.tif 000010